【手続補正書】
【提出日】平成20年8月4日(2008.8.4)
【手続補正１】
【補正対象書類名】特許請求の範囲
【補正対象項目名】全文
【補正方法】変更
【補正の内容】
【特許請求の範囲】
【請求項１】
建物構造物であって、
建物構造物の長さに沿って間隔を置かれた複数の弓形フレーム部材を含み、前記弓形フレーム部材の各々が第１の脚部から頂上へと延びて第２の脚部へと戻り、前記弓形フレーム部材の各々が複数の梁を含み、前記梁の各々が２つの対向するフランジを含み、前記フランジの各々が２つの二股に分かれた端部を有し、前記端部が開放部を備えたＣ字形状のロープ溝を規定し、建物構造物はまた
前記第１および第２の脚部と摺動嵌合可能な基礎と、
玉縁になった縦方向エッジを有し、隣り合う前記弓形フレーム部材の間で引き伸ばされ、前記縦方向エッジが前記ロープ溝の中にある細長の膜と、
前記弓形フレーム部材を強制的に互いから離すため、および前記膜を張り詰められた状態に維持するために隣り合う前記弓形フレーム部材の間で延びるスプレッダとを含む、
建物構造物。
【請求項２】
前記梁の各々が中央のウェブをさらに含み、２つの対向するフランジのうちの少なくとも一方のロープ溝の開放部が、構造物建築の間に削減された摩擦で前記ロープ溝を通して前記膜を引くことを可能にするような方式でこれらのフランジの線の外に大幅に角度をつけられる、請求項１に記載の建物構造物。
【請求項３】
前記梁がＩ字型梁であり、前記ロープ溝からの前記縦方向エッジの逸脱を阻止するように前記開放部が十分に狭められる、請求項２に記載の建物構造物。
【請求項４】
建物構造物が内部空間を規定し、前記膜が内側および外側の膜を有し、前記外側の膜の各々が前記内側の膜のうちの１つの隣りおよび上にあり、隣り合う膜の間に空間が規定される、請求項３に記載の建物構造物。
【請求項５】
前記空間の中のガラス繊維の断熱材および前記断熱材を保持するための手段をさらに含む、請求項４に記載の建物構造物。
【請求項６】
前記断熱材保持用手段が前記Ｉ字型梁に取り付けられた断熱材保持用チューブである、請求項５に記載の建物構造物。
【請求項７】
前記溝がドライシリコーン潤滑剤でコーティングされる、請求項３に記載の建物構造物。
【請求項８】
前記頂上からの下り傾斜の角度が少なくとも２６度である、請求項１に記載の建物構造物。
【請求項９】
前記スプレッダの各々が実質的に中空の棒、別の棒、および接合具を含む伸縮自在のスプレッダであり、前記中空棒が中空棒の中に２つの対向する溝を規定する内側の隆線を有し、前記別の棒が前記中空棒の中に嵌まり込むようにサイズ決定され、対向するエッジを有するウェブを含み、前記ウェブのエッジの各々が前記溝のうちの一方に沿って摺動可能であり、前記ウェブが前記中空棒を縦に二等分する平面に密接に隣接して前記溝の中に配置され、前記接合具が前記中空棒に相対した前記別の棒の位置を固定するためにある、請求項１に記載の建物構造物。
【請求項１０】
前記別の棒がπ字形状の棒である、請求項９に記載の建物構造物。
【請求項１１】
建物構造物のために意図された梁であって、前記建物構造物が複数の弓形フレーム部材および細長の膜を含み、前記弓形フレーム部材が建物構造物の長さに沿って間隔を置かれ、前記弓形フレーム部材の各々が前記梁を含めた複数の梁を含み、前記膜の各々がその対向する縦方向エッジによって、建物構造物の内側と外側の間の領域で前記フレーム部材の隣り合う対の間に固定され、前記梁が
対向する第１と第２のフランジを含み、両方が２つの二股に分かれた端部を有し、前記端部が開放部を備えたＣ字形状のロープ溝を規定し、
前記溝が前記縦方向エッジを受け入れるように構成される、梁。
【請求項１２】
中央のウェブをさらに含み、前記第１のフランジのロープ溝の開放部が、構造物建築の間に削減された摩擦で前記ロープ溝を通して前記膜を引くことを可能にするような方式で前記第１のフランジの線の外に大幅に角度をつけられる、請求項１１に記載の梁。
【請求項１３】
前記第１と第２のフランジの各々が類似した形状の中央通路を有する、請求項１２に記載の梁。
【請求項１４】
前記第２のフランジが２つのボルト通路を規定する、請求項１２に記載の梁。
【請求項１５】
スプレッダ接合具を梁に取り付けるための手段をさらに含む、請求項１１に記載の梁。
【請求項１６】
前記第１のフランジの端部が前記第２のフランジの端部とは異なる形状を有する、請求項１１に記載の梁。
【請求項１７】
建物構造物の隣り合う弓形フレーム部材を間隔を開けるように移動させるための伸縮自在のスプレッダであって、
２つの対向する溝を内部に規定する内側の隆線を有する実質的に中空の棒と、
前記棒を縦に二等分する平面と、
対向するエッジを有するウェブを含む実質的にπ字形状の棒を含み、前記π字形状の棒は前記中空の棒の中に嵌まり込むようにサイズ決定され、前記ウェブのエッジの各々は前記溝のうちの一方に沿って摺動可能であり、前記ウェブは前記二等分平面に密接に隣接して前記溝の中に配置され、前記スプレッダはまた
前記π字形状の棒の位置を前記中空の棒に相対して固定するための係止用アセンブリと、
スプレッダの端部でスプレッダを前記隣り合う弓形フレーム部材に固定するための手段とを含む、スプレッダ。
【請求項１８】
対向するエッジを有するウェブを含む別の実質的にπ字形状の棒をさらに含み、前記別のπ字形状の棒が前記中空の棒の中に嵌まり込むようにサイズ決定され、別のπ字形状の棒の前記ウェブのエッジの各々が前記溝のうちの一方に沿って摺動可能であり、別のπ字形状の棒の前記ウェブが前記二等分平面に密接に隣接して前記溝の中に配置され、前記中空の棒が２つの両端部を追加的に有し、前記π字形状の棒が前記端部の一方から外方向に延びることが可能であり、前記別のπ字形状の棒が前記端部の他方から外方向に延びることが可能である、請求項１７に記載のスプレッダ。
【請求項１９】
前記別のπ字形状の棒の位置を前記中空の棒に相対して固定するための別のナットとボルトのアセンブリをさらに含む、請求項１８に記載のスプレッダ。
【請求項２０】
前記中空の棒が肋状の内壁を追加的に有する、請求項１９に記載のスプレッダ。
【請求項２１】
前記ウェブが前記ウェブのエッジの間の中ほどに配置された少なくとも２つの開口を規定し、別のπ字形状の棒の前記ウェブもまた別のπ字形状の棒の前記ウェブのエッジの間の中ほどに配置された少なくとも２つの開口を規定する、請求項２０に記載のスプレッダ。
【請求項２２】
建物構造物を建築するための方法であって、建築された形態の建物構造物が複数の弓形フレーム部材、基礎、細長の膜、およびスプレッダを含み、前記弓形フレーム部材の各々が第１の脚部から頂上へと延びて第２の脚部へと戻り、前記弓形フレーム部材の各々が複数の梁を含み、前記梁の各々が２つの対向するフランジを含み、前記フランジの各々が２つの二股に分かれた端部を有し、前記端部が開放部を備えたＣ字形状のロープ溝を規定し、前記細長の膜が玉縁になった縦方向エッジおよび前記玉縁になったエッジの各々から続く１本のロープを有し、前記弓形フレーム部材の各々が頂上ローラーアセンブリもやはり有し、
前記基礎の下の表面に沿って自在に移動できるように前記基礎の１つに取り付けられた前記脚部の各々で前記弓形フレーム部材を立てて間隔を置く工程、
２つの隣り合う前記弓形フレーム部材の各々の間でスプレッダが広がるように前記弓形フレーム部材に前記スプレッダを取り付ける工程、
前記脚部に仮設のローラーアセンブリを設置する工程を含み、前記仮設のローラーアセンブリおよび前記２つの隣り合うフレーム部材の頂上ローラーアセンブリが膜の前進を推進し、
複数本のロープを前記溝の中に配置する工程、
前記膜を前記２つの隣り合うフレーム部材の各々の第１の脚部から前記溝を通して前記頂上ローラーアセンブリの上へと上げ、第２の脚部へと下げ、付随する膜が前記ロープ溝の開放部から外方向に延びるように前進させる工程を含み、前記前進が前記複数本のロープを引っ張ることによって実行される工程、
前記スプレッダによって、前記弓形フレーム部材の間隔が増大して前記膜が張り詰められるように前記２つの隣り合うフレーム部材の各々を広げる工程、および
前記弓形フレーム部材を位置固定するために前記基礎を前記基礎直下の前記表面に固定する工程を含む、方法。
【請求項２３】
前記梁の各々が中央のウェブをさらに含み、２つの対向するフランジのうちの少なくとも一方のロープ溝の開放部が、構造物建築の間に削減された摩擦で前記ロープ溝を通して前記膜を引くことを可能にするような方式でこれらのフランジの線の外に大幅に角度をつけられる、請求項２２に記載の方法。
【請求項２４】
前記溝がドライシリコーン潤滑剤でコーティングされる、請求項２３に記載の方法。
【請求項２５】
並んだ弓形フレーム部材の対の間で細長の膜を前進させるための方法であって、前記弓形フレーム部材の各々が第１の脚部から頂上へと延びて第２の脚部へと戻り、前記弓形フレーム部材の各々が複数の梁を含み、前記梁の各々が２つの対向するフランジを含み、前記フランジの各々が２つの二股に分かれた端部を有し、前記端部が開放部を備えたＣ字形状のロープ溝を規定し、前記細長の膜が玉縁になった縦方向エッジおよび前記玉縁になったエッジの各々から続く１本のロープを有し、前記弓形フレーム部材の各々が頂上ローラーアセンブリもやはり有し、
第１の脚部に仮設のローラーアセンブリを設置する工程を含み、前記仮設のローラーアセンブリおよび２つの隣り合う前記弓形フレーム部材の頂上ローラーアセンブリが前記膜の前進を推進し、
複数本のロープが前記溝の中に配置され、前記ローラーアセンブリを越える工程、
前記膜を第１の脚部から前記溝を通して前記頂上ローラーアセンブリの上へと上げ、第２の脚部へと下げ、付随する織布が前記ロープ溝の開放部から外方向に延びるように前進させる工程を含み、前記前進が複数本のロープを引っ張ることによって実行される工程を含む、方法。
【請求項２６】
前記梁の各々が中央のウェブをさらに含み、前記２つの対向するフランジのうちの少なくとも一方のロープ溝の開放部が、前進させる工程の間に削減された摩擦で前記ロープ溝を通して前記膜を引くことを可能にするような方式でこれらのフランジの線の外に大幅に角度をつけられる、請求項２５に記載の方法。
【請求項２７】
前記溝にドライシリコーン潤滑剤をスプレー噴射し、前記配置する工程の前に発生する工程をさらに含む、請求項２６に記載の方法。
【請求項２８】
前記前進させる工程が２台のロープ推進機によって少なくとも部分的に実行される、請求項２５に記載の方法。